(57)【要約】【課題】ＬＥＤ照明装置自体に直接揺れやねじれを発生させない共に、塵埃等が滞留しにくく除去しやすいＬＥＤ照明装置取付け器具並びにＬＥＤ照明装置取付け方法を提供する。【解決手段】レースウェイとこのレースウェイに吊下げるＬＥＤ照明装置との間に装着し、ＬＥＤ照明装置上部に密着して装着する上面が平坦な取付ベース板であるＬＥＤ照明装置取付け器具。【選択図】  図１
2014229386.tif 000002
【特許請求の範囲】
【請求項１】
レースウェイとこのレースウェイに吊下げるＬＥＤ照明装置との間に装着し、前記ＬＥＤ照明装置上部に密着して装着する上面が平坦な取付ベース板であることを特徴とするＬＥＤ照明装置取付け器具。
【請求項２】
前記取付ベース板は、前記レースウェイに直交する短辺と前記レースウェイに平行する長辺を有する直方体であることを特徴とする請求項１記載のＬＥＤ照明装置取付け器具。
【請求項３】
前記取付ベース板の前記長辺には屈曲したエッジが形成されていることを特徴とする請求項２記載のＬＥＤ照明装置取付け器具。
【請求項４】
前記取付ベース板の前記短辺の長さは、前記ＬＥＤ照明装置の幅より大であることを特徴とする請求項２又は３のいずれか１項記載のＬＥＤ照明装置取付け器具。
【請求項５】
短辺と長辺を有する直方体であるＬＥＤ照明装置にはボルト孔並びにケーブル孔が形成されており、前記ＬＥＤ照明装置の前記ボルト孔と前記ケーブル孔に対応する位置にボルト孔並びにケーブル孔を有する取付ベース板であって、この取付ベース板を前記ＬＥＤ照明装置上部に密着して配置し、前記取付ベース板の上部に配置されたレースウェイに吊下げボルトによって前記取付ベース板並びに前記ＬＥＤ照明装置の前記ボルト孔に通しナットによって前記ボルトを螺着することにより、前記レースウェイに前記取付ベース板、前記ＬＥＤ照明装置の順に吊下げ固定することを特徴とするＬＥＤ照明装置取付け方法。
【請求項６】
前記取付ベース板の長辺には屈曲したエッジが形成されていることを特徴とする請求項５記載のＬＥＤ照明装置取付け方法。
【請求項７】
前記取付ベース板の短辺の長さは前記ＬＥＤ照明装置の前記短辺より大なることを特徴とする請求項５又は６のいずれか１項記載のＬＥＤ照明装置取付け方法。
【発明の詳細な説明】
【技術分野】
【０００１】
本発明は、半導体発光素子、いわゆるＬＥＤを用いた照明装置のねじれによるＬＥＤ損傷を防止するＬＥＤ照明装置取付け器具並びにＬＥＤ照明装置取付け方法に関する。
【背景技術】
【０００２】
近年、ＬＥＤを用いた照明装置は、耐久性の良さ、低消費電力、発光周波数帯域の広がり等の特性に注目され、家庭、自動車、店舗、工場等に広い範囲で利用が拡大されている。例えば、半導体製造工場においては半導体ウェハへのフォトレジスト塗布工程にて、レジスト塗布に支障を来さない発光周波数を有する照明器具としてＬＥＤ照明装置が利用されている。
【０００３】
図４には、一般的に利用されているベースライトと称されているＬＥＤ照明装置１１を、レースウェイ１２に吊下げ固定して利用する構成を分解的に説明する図である。図の例のＬＥＤ照明装置１１は、約１１００ｍｍの長辺１３と約２５０ｍｍの短辺１４を有する横長な取付基板１５を有している。レースウェイ１２は、下方が開口されていて開口部に内側に屈曲する縁部が形成されている。レースウェイ１２の開口幅は約６０ｍｍとなっている。ＬＥＤ照明装置１１の取付基板１５の両端近傍には、短辺１４の中心の延長線上に一対のボルト孔１７ａ、１７ｂが設けられおり、更に、取付基板１５の中心には電源ケーブル等を通すケーブル孔１８が形成されている。
【０００４】
取付基板１５の対向する長辺１３、１３に沿ってＬＥＤ発光部１９ａ、１９ｂが設けられている。このＬＥＤ発光部１９ａ、１９ｂには、図示しないが内部に多数の半導体発光素子が配列設置されている。そして、ＬＥＤ発光部１９ａ、１９ｂ間には三角状の反射板２０が設けられており、ＬＥＤ発光部１９ａ、１９ｂからの照射光を効率よく下方へ反射する。
【０００５】
このような構成のＬＥＤ照明装置１１は、レースウェイ１２に係止される一対の吊下げボルト２１ａ、２１ｂ、取付金具２２ａ、２２ｂ及びナット２３ａ、２３ｂによって取付基板１５に設けたボルト孔１７ａ、１７ｂを使用してレースウェイ１２に吊下げ設置される。
【０００６】
ところで、ＬＥＤ照明装置１１に設けられているＬＥＤ発光部１９ａ、１９ｂは、通常半導体基板上に配列形成された多数のＬＥＤ素子からなっており、各ＬＥＤ素子は微細なボンディングワイヤ等で半導体基板の各所に接続されていたり、ＬＥＤ素子自体も極めて微細で精密な構成となっていて、小さな外的要因によってＬＥＤ発光機能が損なわれる損傷を受けやすい。
【０００７】
半導体製造工程のうちで微細な粉塵の存在を極度に嫌うクリーンルームでは、天井から清浄な空気を下方へダウンブローし、床面から排気を行いフィルタでろ過した清浄な空気を再び天井からダウンブローする循環系が形成されているところが多い。このようなクリーンルームの環境において、図４に示したレースウェイ１２にＬＥＤ照明装置１１を吊下げ設置した場合、ＬＥＤ照明装置１１に与える影響について図５、図６を参照して説明する。
【０００８】
図５（ａ）並びに図６（ｂ）に示したＬＥＤ照明装置は、図４で説明した構成で共通であるが、図５（ａ）のレースウェイ１２の幅、すなわち開口幅は、６０ｍｍ未満で、図６（ａ）のレースウェイ１２の幅は６０ｍｍ以上である。そして、図５（ｂ）、図６（ｂ）は、図５（ａ）、図６（ａ）の現象を分かりやすく模式的に示した図である。また、図５、図６とも、図４の構成を横方向すなわちレースウェイ１２の断面を正面とする方向から見た図である。クリーンルームにて上方から清浄な空気が下方へダウンブローすると、ＬＥＤ照明装置１１の上面、すなわちレースウェイ１２の両側の面にダウンブローした清浄空気流が当たり、気流は上面から側端を経由して下方へ向かう。
【０００９】
このとき、ＬＥＤ照明装置１１には、図の上下の太矢印２４ａ、２４ｂで示したように、レースウェイ１２を支点とした揺れが発生する。そして、ダウンブローされてＬＥＤ照明装置１１に当たる空気流は、ＬＥＤ照明装置１１の上面の全ての個所に均一に当たるものではない。ＬＥＤ照明装置１１の設置個所、ダウンブローする空気放出場所等やクリーンルーム内に設置されている各種の機器類によってもＬＥＤ照明装置１１の上面に当たる空気流は不規則になる。
【００１０】
この結果、ＬＥＤ照明装置１１に与える空気流の影響は、図５、図６に示すように単純に上下逆の均一な力のみが印加されず、図の矢印の上下の揺れ動作とともに、ねじれ動作をも伴ってＬＥＤ照明装置１１に外力が印加されることになる。この結果、先にも示したように、ＬＥＤ照明装置１１に外力が加わることにより、装置内部に形成されている微細構造のＬＥＤ素子に外力が印加されることとなって、ＬＥＤ素子構造に損傷を与えることとなる。なお、図５のレースウェイ１２の幅は６０ｍｍ未満であり、図６のレースウェイ１２の幅が６０ｍｍ以上であることから、図６の例の方が揺れは少ないが、それでも揺れ並びにねじれが発生することとなる。また、ＬＥＤ照明装置１１に揺れやねじれを発生させる要因としては、ダウンブローする清浄空気のみならず、他の要因による振動等も原因となることがある。
【００１１】
また、図４の構成においては、ＬＥＤ照明装置１１の取付基板１５の上部は、均一で平坦な平面ではなく、図には示していないがＬＥＤ発光部１９ａ、１９ｂ等を取付けるための各種の部材やその他の小機器類が配置されているため、凹凸のある面となっている。このため、この凹凸の狭隘な個所には塵埃が溜まりやすく、また、このような狭隘な凹凸個所には、上部からの水や他の液体の漏洩があった場合に、これらの水等が滞留しやすい。
【発明の概要】
【発明が解決しようとする課題】
【００１２】
レースウェイに吊下げられたＬＥＤ照明装置の揺れやねじれによって、ＬＥＤ照明装置内のＬＥＤ素子構造の損傷を低減あるいはなくし、また、ＬＥＤ照明装置上に塵埃や水等を滞留しにくくするとともに、集積した塵埃を速やかに除去することを可能とし、ＬＥＤ照明装置自体に直接揺れやねじれを発生させないとともに、塵埃等が滞留しにくく除去しやすいＬＥＤ照明装置取付け器具並びにＬＥＤ照明装置取付け方法を提供することを目的とする。
【課題を解決するための手段】
【００１３】
本発明の請求項１に係るＬＥＤ照明装置取付け器具は、レースウェイとこのレースウェイに吊下げるＬＥＤ照明装置との間に装着し、前記ＬＥＤ照明装置上部に密着して装着する上面が平坦な取付ベース板であることを特徴とする。
【００１４】
本発明の請求項５に係るＬＥＤ照明装置取付け方法は、短辺と長辺を有する直方体であるＬＥＤ照明装置にはボルト孔並びにケーブル孔が形成されており、前記ＬＥＤ照明装置の前記ボルト孔と前記ケーブル孔に対応する位置にボルト孔並びにケーブル孔を有する取付ベース板であって、この取付ベース板を前記ＬＥＤ照明装置上部に密着して配置し、前記取付ベース板の上部に配置されたレースウェイに吊下げボルトによって前記取付ベース板並びに前記ＬＥＤ照明装置の前記ボルト孔に通しナットによって前記ボルトを螺着することにより、前記レースウェイに前記取付ベース板、前記ＬＥＤ照明装置の順に吊下げ固定することを特徴とする。
【発明の効果】
【００１５】
レースウェイに吊下げられたＬＥＤ照明装置に直接揺れやねじれが印加されないように、レースウェイとＬＥＤ照明装置間に取付ベース板を装着したことによって、ＬＥＤ照明装置内のＬＥＤ素子構造の損傷を低減可能とし、また、ＬＥＤ照明装置上に塵埃や水等を滞留しにくくするとともに、集積した塵埃を速やかに除去することを可能とした。
【図面の簡単な説明】
【００１６】
【図１】本発明の一実施例を説明するための分解装着図。
【図２】図１の主要部の斜視図。
【図３】本発明の一実施例を装着した状態を他の方向から見た図。
【図４】従来のＬＥＤ照明装置の取付け構成を示すための図。
【図５】図４に示したＬＥＤ照明装置に印加される外力の影響を説明するための図。
【図６】図４に示したＬＥＤ照明装置の他の例に印加される外力の影響を説明するための図。
【発明を実施するための形態】
【００１７】
以下、図１乃至図３を参照して本発明に係る一実施形態を説明する。図１は、本発明に係る取付ベース板２５を図４に示したレースウェイ１２とＬＥＤ照明装置１１との間に装着した構成を分解表示したものである。図１において図４と共通な個所は同一符号としその詳細な説明は省略する。図２は図１の取付ベース板２５のみを示した図、図３は、図１の組み立て後の構成を、横方向すなわちレースウェイ１２を断面方向から見た図である。
【００１８】
取付ベース板２５はステンレス鋼で製作されており、この取付ベース板２５には、図２に示すようにＬＥＤ照明装置１１のボルト孔に対応する位置にボルト孔１７ａ、１７ｂが形成されており、同様にＬＥＤ照明装置１１のケーブル孔に対応する位置にケーブル孔１８が形成されている。この結果。取付ベース板２５は、図１に示すようにレースウェイ１２とＬＥＤ照明装置１１との間に、吊下げボルト２１ａ、２１ｂとナット２３ａ、２３ｂによって固定される。
【００１９】
このように、取付ベース板２５を用いたことによって、図４に示した取付金具２２ａ、２２ｂを省略できるようになった。
【００２０】
取付ベース板２５の長辺２６、すなわちレースウェイ１２に平行な辺２６の長さはＬＥＤ照明装置の長辺１３と同一となっている。また、取付ベース板２５の短辺２７、すなわちレースウェイ１２の直交する辺２７の長さは、図３に示すようにＬＥＤ照明装置１１の短辺１４より長くなっている。なお、取付ベース板２５の長辺２６の長さは上記例ではＬＥＤ照明装置１１の長辺１３と同一長としたが、ＬＥＤ照明装置１１の長辺より長くしてもよい。
【００２１】
取付ベース板２５の上面は凹凸のない平坦な面となっている。また、取付ベース板２５の長辺２６には下方へ屈曲したエッジ２８が形成されている。エッジ２８の長さはＬＥＤ照明装置１１の照明効果の妨げとならない程度の幅であればよい。取付ベース板２５はステンレス鋼で製作したが、容易に屈曲したりねじれたりしなければプラスチック等の他の材質であってもよい。
【００２２】
このような取付ベース板２５をＬＥＤ照明装置１１の上面に密着させてレースウェイ１２に取り付けたことにより、クリーンルーム等での清浄空気のダウンブローによる空気流が直接ＬＥＤ照明装置１１に当たらなくなった。その結果、ダウンブローによる空気流によるＬＥＤ照明装置１１の揺れやねじれがほぼ認められなくなった。これは、ダウンブローの空気流の吹き付けを取付ベース板２５が受けることとなったことから、揺れやねじれの発生要因は取付ベース板２５が受け、ＬＥＤ照明装置１１には直接の影響がなくなったことによるものである。
【００２３】
また、取付ベース板２５の上面が平坦になったことから、従来のＬＥＤ照明装置１１の上部のような凹凸等の狭隘な個所がなくなり、塵埃や水等が滞留する要因がなくなった。取付ベース板２５の上面にも塵埃や水等が一時的に落下することがあったとしても、速やかにこれらの塵埃や水はダウンブローの空気流によって排除されやすくなった。また、取付ベース板２５の長辺２６にエッジ２８を設けたことにより、取付ベース板２５の上部に落下した塵埃や水等を下方へ排除する際に、これらの塵埃や水等がＬＥＤ照明装置１１へ向けて落下することを防止することを可能とした。
【００２４】
なお、取付ベース板２５の材質や寸法をより一層揺れやねじれに強いものにすることによって、短辺２７の長さをＬＥＤ照明装置１１の短辺１４の長さと略同一にしてもよい。しかし、この場合には取付ベース板２５の上部からの塵埃や水等が下方へ落下する際には、この影響がＬＥＤ照明装置１１に及ぶことも考えられるので、塵埃の発生や水等の落下のおそれのない環境では取付ベース板２５の短辺２７をＬＥＤ照明装置１１の短辺と略同一にすることも可能である。
【００２５】
しかしながら、取付ベース板２５の短辺２７の幅をＬＥＤ照明装置１１の短辺１４より長くした結果、取付ベース板２５の揺れやねじれ要因の影響を、より一層ＬＥＤ照明装置１１に及ぼさないことを可能とした。また、取付ベース板２５の短辺２７をＬＥＤ照明装置１１の短辺１４より長くした結果、取付ベース板２５上部に落下した塵埃や水等を下方へ排除する際に、下方へ落下する塵埃や水等によるＬＥＤ照明装置１１への悪影響を少なくすることが可能となる。従って、取付ベース板２５の短辺の長さを決定するにあたっては、ＬＥＤ照明装置１１を設置する周囲の環境に応じて決定すればよい。
【符号の説明】
【００２６】
１１…ＬＥＤ照明装置、１２…レースウェイ、１３、２６…長辺、１４、２７…短辺、１５…取付基板、２８…エッジ、１７ａ、１７ｂ…ボルト孔、１８…ケーブル孔、１９ａ、１９ｂ…ＬＥＤ発光部、２０…反射板、２１ａ、２１ｂ…吊下げボルト、２２ａ、２２ｂ…取付金具、２３ａ、２３ｂ…ナット、２４ａ、２４ｂ…太矢印、２５…取付ベース板。
【図１】
2014229386.tif 000003
【図２】
2014229386.tif 000004
【図３】
2014229386.tif 000005
【図４】
2014229386.tif 000006
【図５】
2014229386.tif 000007
【図６】
2014229386.tif 000008